(57)【要約】【課題】操作感が優れ、しかも、スイッチノブとスイッチノブ用開口部との隙間を小さくすることによって、正面側から見た際に見栄えがよいシーソースイッチ構造を提供する。【解決手段】  スイッチパネル１２のスイッチ用開口部１２ａ両側に設けられた一対の軸受部１２ｄ，１２ｄと、一対の軸受部１２ｄ，１２ｄに支承された回動軸１３ｄ，１３ｄを中心にして互いに反対方向に回動される一対の押圧部Ａ，Ｂを有するスイッチノブ１３と、各押圧部Ａ，Ｂにそれぞれ設けられたレバー部１３ｅ，１３ｅと、各レバー部１３ｅ，１３ｅに対応して設けられたタクトスイッチ１４Ａ，１４Ｂとを備えたシーソースイッチ構造であり、  軸受部１２ｄ，１２ｄには押下方向に伸びる長穴１２ｅ，１２ｅが形成され、回動軸１３ｄ，１３ｄは長穴１２ｅ，１２ｅに摺動可能に装着されて軸受部１２ｄ，１２ｄに支持されている。【選択図】図２
2008004273.tif 000002
【特許請求の範囲】
【請求項１】
スイッチパネルの開口部両側に設けられた一対の軸受部と、
該一対の軸受部に支承された回動軸を中心にして互いに反対方向に回動される一対の操作部を有するスイッチノブと、
前記各操作部にそれぞれ設けられた押下棒と、
該各押下棒に対応して設けられたプッシュスイッチと、
を備えたシーソースイッチ構造であって、
前記軸受部には押下方向に伸びる長穴が形成され、前記回動軸は前記長穴に摺動可能に装着されて前記軸受部に支持されていることを特徴とするシーソースイッチ構造。
【請求項２】
前記スイッチパネルに押下方向に伸びるガイド部が設けられ、前記スイッチノブに押下方向に伸びる被ガイド部が設けられ、前記ガイド部と前記被ガイド部との協働により、前記スイッチノブの倒れを防止することを特徴とする請求項１に記載されたシーソースイッチ構造。
【発明の詳細な説明】
【技術分野】
【０００１】
車載のスイッチパネルに設けられたシーソースイッチに関する。
【背景技術】
【０００２】
従来から、図１に示されるようなシーソースイッチ構造が知られている。
【０００３】
図１は従来例に係るシーソースイッチ構造を説明する分解斜視図であり、図１において、１は配線基板、２はスイッチパネル、３はスイッチノブである。
【０００４】
配線基板１上には、タクトスイッチ４Ａとタクトスイッチ４Ｂとが所定の間隔を空けて装着されている。
【０００５】
タクトスイッチ４Ａとタクトスイッチ４Ｂとは同一構成であって、タクトスイッチ４Ａ，４Ｂは、それぞれ略直方体形状のスイッチ本体４ａと、略円柱状の押しボタン部４ｂとを有している。
【０００６】
スイッチノブ３は全体として略逆筐体形状を呈しており、略長方形状の上壁部３ａと、互いに対向する１対の側長壁３ｂ，３ｂと、互いに対向する１対の側短壁３ｃ，３ｃとを有している。
【０００７】
側長壁３ｂ，３ｂの長手方向中央やや裏側寄りには、１対の回動軸３ｄ，３ｄが互いに遠ざかる向きにそれぞれ突設形成されている。
【０００８】
上壁部３ａの裏面側には長手方向両端付近に、棒状を呈した１対のレバー部３ｅ，３ｅがタクトスイッチ４Ａ，４Ｂの間隔と同一の間隔でもって上壁部３ａに対して垂直に裏側に向かって形成されている。
【０００９】
スイッチパネル２には略長方形状のスイッチ用開口部２ａが形成されている。
【００１０】
スイッチ用開口部２ａの周縁のうち長さが長い方をそれぞれ側長縁２ｂ，２ｂとし、長さが短い方をそれぞれ側短縁２ｃ，２ｃとする。
【００１１】
スイッチパネル２には、スイッチ用開口部２ａの長手方向中央両外側に、それぞれ板状の軸受部２ｄ，２ｄが互いに対向してスイッチパネル２に対して垂直に裏側に向かって形成されている。
【００１２】
軸受部２ｄ，２ｄの略中央には、それぞれ丸穴２ｅ，２ｅが形成されている。
【００１３】
丸穴２ｅ，２ｅにはスイッチノブ３の回動軸３ｄ，３ｄがそれぞれ挿通されており、スイッチノブ３がスイッチパネル２に対して回動可能となるように装着されている。
【００１４】
配線基板１とスイッチパネル２とがハウジング（図示省略）などを介して固定されると、配線基板１とスイッチパネル２とは平行に配置され、レバー部３ｅ，３ｅの各先端部３ｇ，３ｇが、押しボタン部４ｂ，４ｂの各上端面４ｃ，４ｃにそれぞれ当接する。
【００１５】
スイッチノブ３の上壁部３ａ表面のうち、長手方向中央を境にして一方側の表面を押圧部Ａとし，他方側の表面を押圧部Ｂとする。
【００１６】
例えば、押圧部Ａを指でもって押下すると、スイッチノブ３が回動軸３ｄ，３ｄを軸として回動し、これに伴って押圧部Ａ側のレバー部３ｅが有する先端部３ｇが、タクトスイッチ４Ａの押しボタン部４ｂを押下する。また、押圧部Ｂを押下する場合についても同様である。
【００１７】
この他に、シーソースイッチに関する発明として、特許文献１のスイッチ駆動構造や特許文献２のプッシュボタン兼シーソースイッチなどが知られている。これらの発明では、いずれも、スイッチノブの回動軸が長穴によって支持される構造が開示されている。
【特許文献１】実公昭６２ー２５４４４号公報
【特許文献２】実公昭６２ー５７３４９号公報
【発明の開示】
【発明が解決しようとする課題】
【００１８】
しかしながら、従来例に係るシーソースイッチ構造では、スイッチノブ３の回動軸３ｄが、それぞれ丸穴２ｅを有する軸受部２ｄによって支持されているので、例えば、スイッチノブ３の押圧部Ａを押下した際に、押圧部Ａ側に設けられたレバー部３ｅの先端部３ｇが回動軸３ｄを中心として図５（ａ）に示す円弧Ｌ１を描くように動く。
【００１９】
先端部３ｇが回動軸３ｄを中心として円弧Ｌ１を描くように動くと、先端部３ｇは押しボタン部４ｂの上端面４ｃ上を摺動しつつ押しボタン部４ｂを押圧する。
【００２０】
この際、タクトスイッチ４ＡをＯＮの状態にするのに最低必要な押下方向のストローク量ａに対して、先端部３ｇが上端面４ｃ上に沿って図５（ａ）に示すスライド量ｂ1だけ摺動する。
【００２１】
このとき、タクトスイッチ４Ａの押しボタン部４ｂは、押しボタン部４ｂの対称軸方向に対して傾くような動きをして、この傾く動きがレバー部３ｅを介してスイッチノブ３に伝わり、スイッチを操作する人にとって、人が押圧部Ａを押した際の手応えとして感じられる。
【００２２】
このように、従来例に係るシーソースイッチ構造では、スイッチの操作感が損なわれるおそれがあった。
【００２３】
また、タクトスイッチ４ＡをＯＮの状態にするのに最低必要な押下方向のストローク量ａを、スイッチノブ３の回転だけでもって得ようとすると、スイッチノブ３の回転角を一定角以上に大きく採る必要がある。
【００２４】
スイッチノブ３の回転角が一定角以上に大きくなると、スイッチノブ３の回動に伴い、スイッチノブ３の側短壁３ｃ，３ｃ表面が掃引く領域が大きくなるので、側短壁３ｃ，３ｃの表面とスイッチパネル２の側短縁２ｃ，２ｃとの隙間を大きく空ける必要が生じる。
【００２５】
このため、側短壁３ｃの表面とスイッチパネル２の側短縁２ｃとの隙間を、側短壁３ｃの表面とスイッチパネル２の側短縁２ｃとが干渉しない程度に大きく空けると、スイッチパネル２を正面側から見た際の見栄えが損なわれてしまうおそれがあった。
【００２６】
そこで、本発明では、操作感が優れ、しかも、スイッチノブとスイッチノブ用開口部との隙間を小さくすることによって、正面側から見た際に見栄えがよいシーソースイッチ構造を提供することを目的にしている。
【課題を解決するための手段】
【００２７】
上記目的を達成するために請求項１に記載された発明は、スイッチパネルの開口部両側に設けられた一対の軸受部と、
該一対の軸受部に支承された回動軸を中心にして互いに反対方向に回動される一対の操作部を有するスイッチノブと、
前記各操作部にそれぞれ設けられた押下棒と、
該各押下棒に対応して設けられたプッシュスイッチと、
を備えたシーソースイッチ構造であって、
前記軸受部には押下方向に伸びる長穴が形成され、前記回動軸は前記長穴に摺動可能に装着されて前記軸受部に支持されているシーソースイッチ構造を特徴としている。
【００２８】
そして、請求項２に記載された発明は、前記スイッチパネルに押下方向に伸びるガイド部が設けられ、前記スイッチノブに押下方向に伸びる被ガイド部が設けられ、前記ガイド部と前記被ガイド部との協働により、前記スイッチノブの倒れを防止する請求項１に記載されたシーソースイッチ構造を特徴としている。
【発明の効果】
【００２９】
このように構成された本発明の請求項１のものは、回動軸が長穴内でもって回動しつつ摺動するので、プッシュスイッチを稼動にするのに必要な押下方向のストローク量の一部を回動軸の長穴内での摺動による摺動量が担い、スイッチノブの回転角は小さくて済む。
【００３０】
このため、押下棒によってプッシュスイッチがほぼ真っ直ぐに押下されて、押下棒が滑らかに動き、この滑らかな動きがスイッチノブに伝わる。このように、スイッチノブが滑らかに動くことによって、スイッチノブを押した際の操作感がよい。
【００３１】
また、スイッチノブの回動軸方向から見た断面形状と、開口部の回動軸方向から見た断面形状とを回動方向任意縁に沿う形状としなくとも、スイッチノブと開口部との隙間を小さくすることができるので、スイッチパネルを正面側から見た際の見栄えがよい。
【００３２】
そして、本発明の請求項２のものは、ガイド部と被ガイド部との協働により、スイッチノブの倒れを防止するので、スイッチノブの操作部の回動軸方向片側寄りの部分が押されても、スイッチノブが回動軸方向に対してほとんど傾かないので、押下棒がプッシュスイッチの中心から、ほとんどズレることがない。
【００３３】
このため、確実なスイッチングができ、しかも、スイッチノブが開口部の周縁などに引っ掛かることがないので、スイッチノブを押した際の操作感がよい。
【発明を実施するための最良の形態】
【００３４】
以下、本発明に係る実施の形態の実施例に基づいて本発明を説明する。
【実施例】
【００３５】
本実施例のシーソースイッチは、例えば、自動車の運転席に設けられたパワーウインドウ開閉用スイッチなどに用いられるものであり、押しボタンを押下している間だけスイッチがＯＮの状態になり、離すとスイッチがＯＦＦの状態になるようなシーソースイッチである。
【００３６】
〈構成〉
図２は本実施例に係るシーソースイッチ構造を説明する分解斜視図であり、図２において、１１は配線基板、１２はスイッチパネル、１３はスイッチノブである。
【００３７】
図３はスイッチノブ１３の４面図であり、図４はスイッチパネル１２の４面図である。
【００３８】
配線基板１１上には、タクトスイッチ１４Ａとタクトスイッチ１４Ｂとが所定の間隔を空けて装着されている。
【００３９】
タクトスイッチ１４Ａとタクトスイッチ１４Ｂとは同一の構成であって、タクトスイッチ１４Ａ，１４Ｂは、それぞれ略直方体形状のスイッチ本体１４ａと、略円柱状の押しボタン部１４ｂとを有している。
【００４０】
図２に示すように、スイッチ本体１４ａは上面視形状が略正方形状を呈しており、押しボタン部１４ｂはスイッチ本体１４ａの上面視中央位置に設けられている。
【００４１】
スイッチ本体１４ａ内には図示が省略されたバネが設けられ、このバネが押しボタン部１４ｂを常に上側に向けて付勢しており、押しボタン部１４ｂを押下している間だけ押しボタン部１４ｂは押し下げられ、押下していないときには押しボタン部１４ｂは元の位置に戻される。
【００４２】
タクトスイッチ１４Ａ，１４Ｂはモーメンタリ型のプッシュスイッチであり、押しボタン部１４ｂを押下している間だけスイッチがＯＮの状態になり、離すとスイッチがＯＦＦの状態になる。
【００４３】
図２に示すように、スイッチノブ１３は全体として略逆筐体形状を呈しており、略長方形状の上壁部１３ａと、互いに対向する１対の側長壁１３ｂ，１３ｂと、互いに対向する１対の側短壁１３ｃ，１３ｃとを有している。
【００４４】
側長壁１３ｂと側短壁１３ｃとは略長方形状を呈しており、側長壁１３ｂは上壁部１３ａの幅手方向両端から上壁部１３ａに対して垂直に裏側に向けて延び、側短壁１３ｃは上壁部１３ａの長手方向両端から上壁部１３ａに対して垂直に裏側に向けて延びている。
【００４５】
側長壁１３ｂ，１３ｂの長手方向中央やや裏側寄りには、１対の回動軸１３ｄ，１３ｄが互いに遠ざかる向きにそれぞれ突設形成されている。
【００４６】
上壁部１３ａの裏面側には長手方向両端付近に、棒状を呈した１対のレバー部１３ｅ，１３ｅがタクトスイッチ１４Ａ，１４Ｂの間隔と同一の間隔でもって上壁部１３ａに対して垂直に裏側に向かって形成されている。
【００４７】
側短壁１３ｃ，１３ｃの長手方向中央やや裏側寄りには、略長方形状を呈した１対の被ガイドフランジ部１３ｆ，１３ｆが対向して遠ざかる向きに一体形成されている。
【００４８】
スイッチパネル１２には略長方形状のスイッチ用開口部１２ａが形成されている。
【００４９】
スイッチ用開口部１２ａの周縁のうち長さが長い方をそれぞれ側長縁１２ｂ，１２ｂとし、長さが短い方をそれぞれ側短縁１２ｃ，１２ｃとする。
【００５０】
スイッチパネル１２には、スイッチ用開口部１２ａの長手方向中央両外側に、それぞれ板状の軸受部１２ｄ，１２ｄが互いに対向してスイッチパネル１２に対して垂直に裏側に向かって形成されている。
【００５１】
軸受部１２ｄ，１２ｄの略中央には、長穴１２ｅ，１２ｅがそれぞれ形成されている。      
【００５２】
長穴１２ｅ，１２ｅは、それぞれスイッチパネル１２に対して垂直方向に長くなっている。
【００５３】
側短縁１２ｃ，１２ｃのそれぞれの中央位置には、平行に配置された略長方形上のガイドフランジ部１２ｆ，１２ｆが裏面側に向けてそれぞれ１対ずつ突設形成されている。
【００５４】
１対のガイドフランジ部１２ｆ，１２ｆの隙間の間隔は、スイッチノブ１３に設けられた被ガイドフランジ部１３ｆの厚さより僅かに広くなっている。
【００５５】
長穴１２ｅ，１２ｅにはスイッチノブ１３の回動軸１３ｄ，１３ｄがそれぞれ挿通されており、スイッチノブ１３がスイッチパネル１２に対して回動可能となるように装着されている。
【００５６】
スイッチノブ１３の一方の被ガイドフランジ部１３ｆはスイッチパネル１２の一方のガイドフランジ部１２ｆ，１２ｆの間に挿入され、他方の被ガイドフランジ部１３ｆは他方のガイドフランジ部１２ｆ，１２ｆの間に挿入されている。
【００５７】
配線基板１１とスイッチパネル１２とがハウジング（図示省略）などを介して固定されると、配線基板１１とスイッチパネル１２とは平行に配置され、レバー部１３ｅ，１３ｅの各先端部１３ｇ，１３ｇが、押しボタン部１４ｂ，１４ｂの上端面１４ｃ，１４ｃにそれぞれ当接する。
【００５８】
スイッチノブ１３の上壁部１３ａ表面のうち、長手方向中央を境にして一方側の表面を押圧部Ａとし，他方側の表面を押圧部Ｂとする。
【００５９】
例えば、押圧部Ａを指でもって押下すると、スイッチノブ１３が回動軸１３ｄ，１３ｄを軸として回動し、これに伴って押圧部Ａ側のレバー部１３ｅが有する先端部１３ｇが、タクトスイッチ１４Ａの押しボタン部１４ｂを押下する。また、押圧部Ｂを押下する場合についても同様である。
【００６０】
したがって、押圧部Ａを指でもって押下すると、押下している間だけタクトスイッチ１４ＡがＯＮの状態になり、押圧部Ｂを指でもって押下すると、押下している間だけタクトスイッチ１４ＢがＯＮの状態になる。
【００６１】
〈スイッチノブ１３の動きについて〉
図５は、スイッチノブを押下した際に、従来例に係るシーソースイッチのスイッチノブ３の動きと、実施例に係るシーソースイッチのスイッチノブ１３の動きとの違いを説明する図である。図の（ａ）は従来例に係るシーソースイッチの側面図であり、図１のＡ−Ａ断面図である。図の（ｂ）は実施例に係るシーソースイッチの側面図であり、図２のＢ−Ｂ断面図である。
【００６２】
また、図６は実施例に係るシーソースイッチのスイッチノブ１３を長手方向の一方側から見た側面図であり、図２のＣ−Ｃ断面図である。スイッチノブ１３の被ガイドフランジ１３ｆが、スイッチパネル１２の１対のガイドフランジ部１２ｆ，１２ｆによって案内される様子を表した図である。
【００６３】
図５に示すように、実施例に係るシーソースイッチ構造では、スイッチノブ１３の回動軸１３ｄ，１３ｄが、それぞれ長穴１２ｅ，１２ｅを有する軸受部１２ｄ，１２ｄに支持されているので、例えば、スイッチノブ１３の押圧部Ａを押下した際に、回動軸１３ｄ，１３ｄが長穴１２ｅ，１２ｅ内でもって、それぞれ回動しつつ摺動し、押圧部Ａ側に設けられたレバー部１３ｅの先端部１３ｇが、例えば図５の（ｂ）に示す曲線Ｌ２を描くように動く。
【００６４】
先端部１３ｇが回動軸１３ｄ，１３ｄを中心として曲線Ｌ２を描くように動くと、先端部１３ｇは押しボタン部１４ｂの上端面１４ｃ上を摺動しつつ押しボタン部１４ｂを押圧する。
【００６５】
このとき、先端部１３ｇは押しボタン部１４ｂの上端面１４ｃ上を僅かに摺動しながら押しボタン部１４ｂを押圧し、タクトスイッチ１４ＡをＯＮの状態にするのに最低必要な押下方向のストローク量ａに対して、先端部１３ｇが上端面１４ｃ上に沿って図５（ｂ）に示すスライド量ｂ2だけ摺動する。
【００６６】
〈作用効果〉
図５に示すように、回動軸１３ｄが長穴１２ｅ内でもって回動しつつ摺動するので、タクトスイッチ１４Ａ，１４ＢをＯＮの状態にするのに最低必要な押下方向のストローク量ａの一部を回動軸１３ｄの長穴１２ｅ内での摺動による摺動量が担い、スイッチノブ１３の回転角は小さくて済む。
【００６７】
したがって、スイッチノブ１３の裏面から延びるレバー部１３ｅの振れ角も従来のものに比べて小さくなるので、スイッチノブ１３の先端部１３ｇが上端面１４ｃ上に沿って摺動する際のスライド量ｂ2 は、従来例におけるスイッチノブ３の先端部３ｇが上端面４ｃ上に沿って摺動する際のスライド量ｂ1 に比べて小さくなる。
【００６８】
このため、レバー部１３ｅの先端部１３ｇによってタクトスイッチ１４Ａやタクトスイッチ１４Ｂの押しボタン部１４ｂがほぼ真っ直ぐに押下されて、先端部１３ｇが滑らかに動き、この滑らかな動きがスイッチノブ１３に伝わる。
【００６９】
このように、スイッチノブ１３が滑らかに動くことによって、スイッチノブ１３を押した際の操作感がよい。
【００７０】
そして、本発明のシーソースイッチ構造では、従来の場合に比べてスイッチノブ１３の回転角が小さくて済むので、スイッチノブ１３の側短壁１３ｃ，１３ｃ表面が掃引く領域が従来例に比べて小さくなり、側短壁１３ｃ，１３ｃの表面とスイッチパネル１２の側短縁１２ｃ，１２ｃとの隙間の長さｃ2を従来例の隙間の長さｃ1に比べて小さくすることができるので、スイッチパネル１２を正面側から見た際の見栄えがよい。
【００７１】
更に、図６に示すように、被ガイドフランジ部１３ｆがガイドフランジ部１２ｆ，１２ｆの間に挿入されてガイドされているので、スイッチノブ１３の押圧部Ａ，Ｂの回動軸方向片側寄りの部分が押されても、スイッチノブ１３が回動軸方向に対してほとんど傾かず、先端部１３ｇ，１３ｇがタクトスイッチ１４Ａや１４Ｂの押しボタン部１４ｂ，１４ｂの中心からほとんどズレることがない。
【００７２】
このため、確実なスイッチングができ、しかも、スイッチノブ１３がスイッチ用開口部１２ａの周縁などに引っ掛かることがないので、スイッチノブ１３を押した際の操作感がよい。
【００７３】
以上、図面を参照して、本発明に係る実施の形態の実施例を詳述してきたが、具体的な構成は、この実施の形態に限らず、本発明の要旨を逸脱しない程度の設計的変更は、本発明に含まれるものである。
【００７４】
なお、本発明の実施例では、タクトスイッチを用いているが、スイッチはプッシュ式のスイッチであれば必ずしもタクトスイッチである必要はない。他のタイプのプッシュスイッチでもよいし、配線基板１１上に作りつけたものであってもよい。
【００７５】
また、本発明の実施例では、モーメンタリ型のタクトスイッチを用いているが、スイッチはプッシュ式のスイッチであれば必ずしもタクトスイッチである必要はない。例えば、押下する毎にＯＮの状態とＯＦＦの状態とが交互に入れ替わるオルタネイト型のプッシュスイッチであってもよい。
【図面の簡単な説明】
【００７６】
【図１】従来例に係るシーソースイッチ構造を説明する分解斜視図である。
【図２】実施例に係るシーソースイッチ構造を説明する分解斜視図である。
【図３】実施例に係るシーソースイッチのスイッチノブの４面図である。
【図４】実施例に係るシーソースイッチのスイッチパネルの４面図である。
【図５】スイッチノブを押下した際に、従来例に係るシーソースイッチのスイッチノブの動きと、実施例に係るシーソースイッチのスイッチノブの動きとの違いを説明する図である。（ａ）は従来例に係るシーソースイッチの側面図であり、図１のＡ−Ａ断面図である。また、図の（ｂ）は実施例に係るシーソースイッチの側面図であり、図２のＢ−Ｂ断面図である。
【図６】実施例に係るシーソースイッチのスイッチノブを長手方向の一方側から見た側面図であり、図２のＣ−Ｃ断面図である。スイッチノブの被ガイドフランジ部が、スイッチパネルの１対のガイドフランジ部によって案内される様子を表した図である。
【符号の説明】
【００７７】
１２                    スイッチパネル
１２ａ                  スイッチ用開口部（開口部）
１２ｄ                  軸受部
１２ｅ                  長穴
１２ｆ                  ガイドフランジ部（ガイド部）
１３                    スイッチノブ
１３ｄ                  回動軸
１３ｅ                  レバー部（押下棒）
１３ｆ                  被ガイドフランジ部（被ガイド部）
１４Ａ                  タクトスイッチ（プッシュスイッチ）
Ａ，Ｂ                  押圧部（操作部）
【図１】
2008004273.tif 000003
【図２】
2008004273.tif 000004
【図３】
2008004273.tif 000005
【図４】
2008004273.tif 000006
【図５】
2008004273.tif 000007
【図６】
2008004273.tif 000008